(57)【要約】【課題】宅内への不法侵入者がいた場合に、その情報をユーザに通知する遠隔見守りシステムにおいて、不法侵入者の検知精度を向上させると共に、システムの利用者の利便性を向上させる。【解決手段】ユーザにより設定されたセンサの反応順序を示す設定パターンと、実際に反応があったセンサの反応順序を示す検知パターンが一致する場合に（＃６３でＹＥＳ、かつ＃６６でＹＥＳ）、この設定パターンに対応して設定された制御モードを実行する（＃６７）ので、ユーザは宅内装置等を操作することなく、所定行為をトリガーとしてシステムの制御モードを変更させることができる。このため、システムの操作性を向上して、システムの利用者の利便性を向上させることができる。また、ユーザは設定パターンに則して行動する（センサを反応させる）ことにより不法侵入者として検知されないので、設定パターンに則して行動しない不法侵入者のみを検出することができる。【選択図】図１０
2006040112.tif 000002
【特許請求の範囲】
【請求項１】
センサにより宅内への侵入者を検知する宅内装置と、前記センサに反応があった場合に前記宅内装置から通知されるセンサ検知情報をインターネットを介して受信すると共に、そのセンサ検知情報をインターネットを介して認証された端末装置に転送するサーバ装置とを備えた遠隔見守りシステムにおいて、
前記宅内装置は、
宅内への侵入者を検知するための複数のセンサと、
前記センサに反応があった場合に、ユーザにより設定された制御モードに応じて、前記センサ検知情報を前記サーバ装置に通知するか否か判断し、サーバ装置へのセンサ検知情報の通知及び非通知を制御するセンサ通知制御手段とを有し、
前記サーバ装置は、
前記宅内装置から通知された前記センサ検知情報を前記端末装置に転送する転送手段と、
前記複数のセンサの反応順序を示す設定パターンをユーザに入力させるための設定パターン入力手段と、
前記宅内装置に、全てのセンサについて前記センサ検知情報の通知を実行させるセンサ通知実行モードと、全てのセンサについて前記センサ検知情報の通知を解除させるセンサ通知解除モードと、所定のセンサについて所定期間の間、前記センサ検知情報の通知を停止させるセンサ通知停止モードとを含む制御モードの中から、前記設定パターン入力手段により入力された設定パターンに対応する制御モードをユーザに入力させるための制御モード入力手段と、
前記設定パターン入力手段により入力された設定パターン、及び前記制御モード入力手段により入力された制御モードを記憶する第１の設定パターン記憶手段と、
前記第１の設定パターン記憶手段に記憶された前記設定パターン及び前記制御モードを前記宅内装置に送信する設定パターン送信手段とを有し、
前記宅内装置は、
前記設定パターン送信手段により送信された前記設定パターン及び前記制御モードを受信する設定パターン受信手段と、
前記設定パターン受信手段により受信した前記設定パターン及び前記制御モードを記憶する第２の設定パターン記憶手段と、
実際に反応があった前記複数のセンサの反応順序を示す検知パターンを記憶する検知パターン記憶手段とを更に有し、
前記センサ通知制御手段は、前記第２の設定パターン記憶手段に記憶された設定パターンと前記検知パターン記憶手段に記憶された検知パターンが一致する場合に、この設定パターンに対応して設定された前記制御モードを実行することを特徴とする遠隔見守りシステム。
【請求項２】
宅内への侵入者を検知するための複数のセンサと、これらセンサに反応があった場合に、ユーザにより設定された制御モードに応じて、センサ検知情報を予め指定された装置に通知するか否か判断し、前記装置へのセンサ検知情報の通知及び非通知を制御するセンサ通知制御手段とを備えた宅内装置において、
ユーザにより設定された前記複数のセンサの反応順序を示す設定パターンと、該設定パターンに対応して設定された前記制御モードを記憶する設定パターン記憶手段と、
実際に反応があった前記複数のセンサの反応順序を示す検知パターンを記憶する検知パターン記憶手段とを有し、
前記センサ通知制御手段は、前記設定パターン記憶手段に記憶された設定パターンと前記検知パターン記憶手段に記憶された検知パターンが一致する場合に、この設定パターンに対応して設定された前記制御モードを実行することを特徴とする宅内装置。
【請求項３】
前記制御モードが、
全てのセンサについて、前記センサ検知情報の通知を実行させるセンサ通知実行モードと、
全てのセンサについて、前記センサ検知情報の通知を解除させるセンサ通知解除モードと、
所定のセンサについて、所定期間の間、前記センサ検知情報の通知を停止させるセンサ通知停止モードとを含むことを特徴とする請求項２に記載の宅内装置。
【発明の詳細な説明】
【技術分野】
【０００１】
本発明は遠隔見守りシステム及びこれに用いられる宅内装置に関するものである。
【背景技術】
【０００２】
従来から、センサにより宅内への侵入者を検知する宅内装置と、センサに反応があった場合に宅内装置から通知されるセンサ検知情報をインターネットを介して受信すると共に、そのセンサ検知情報をインターネットを介して認証された端末装置（例えば、携帯電話）に転送するサーバ装置とを備え、宅内への不法侵入者がいた場合に、その情報をユーザが使用する端末装置に通知する遠隔見守りシステムが知られている。また、宅内の複数箇所に設置された複数のセンサを備え、反応のあったセンサ番号（宅内の場所）をユーザに通知することができる遠隔見守りシステムも知られている。
【０００３】
しかしながら、従来の遠隔見守りシステムにおいては、センサはユーザと不法侵入者を区別することができず、ユーザ自身がセンサによって検知された場合であっても、センサ検知情報の通知を解除していない限り、ユーザにセンサ検知情報が通知されるため、誤報が多かった。このため、従来の遠隔見守りシステムにおいては、ユーザの在宅中は常に、センサ検知情報の通知を解除していなくてはならなかった。なお、本明細書においては、宅内装置に接続される全てのセンサについて、ユーザへのセンサ検知情報の通知（処理）が実行されているシステムの状態をセンサ通知実行モードといい、全てのセンサについてセンサ検知情報の通知が解除されているシステムの状態をセンサ通知解除モードといい、所定（全部又は一部）のセンサについてセンサ検知情報の通知が所定期間の間、停止されているシステムの状態をセンサ通知停止モードという。
【０００４】
また、従来の遠隔見守りシステムにおいては、センサ通知実行モードからセンサ通知解除モードへ変更する場合等、制御モードを変更する場合に、ユーザは宅内装置を直接操作して又はサーバ装置にアクセスして、制御モードを変更する必要があったため、操作性があまりよくなかった。また、例えば、ユーザが宅内装置を直接操作して、センサ通知実行モードからセンサ通知解除モードへの変更する場合には、ユーザ自身がセンサによって検知され、不必要なセンサ検知情報がユーザに通知される場合があった。
【０００５】
ところで、複数のセンサを備えた侵入監視装置等であって、予め設定されたセンサの反応順序（設定パターン）と、実際のセンサの反応順序（検知パターン）に基づいてセンサ反応が真報か誤報か判定するようにした装置等が知られている（例えば、特許文献１又は特許文献２参照）。
【特許文献１】特開平１１−３０６４４７号公報
【特許文献２】特開平６−１８０７９０号公報
【発明の開示】
【発明が解決しようとする課題】
【０００６】
しかしながら、特許文献１及び特許文献２に記載の侵入者監視装置等は、設定パターンと検知パターンに基づいて誤報を低減することができるものの、これら設定パターンや検知パターンに基づいてシステムの操作性を向上して、システムの利用者の利便性を向上させることができるものではない。
【０００７】
本発明は、上記課題を解決するためになされたものであり、複数のセンサを用いて不法侵入者の検知精度を向上させると共に、システムの操作性を向上して、システムの利用者の利便性を向上させることができる遠隔見守りシステム及び宅内装置を提供することを目的とする。
【課題を解決するための手段】
【０００８】
上記目的を達成するために請求項１の発明は、センサにより宅内への侵入者を検知する宅内装置と、前記センサに反応があった場合に前記宅内装置から通知されるセンサ検知情報をインターネットを介して受信すると共に、そのセンサ検知情報をインターネットを介して認証された端末装置に転送するサーバ装置とを備えた遠隔見守りシステムにおいて、前記宅内装置は、宅内への侵入者を検知するための複数のセンサと、前記センサに反応があった場合に、ユーザにより設定された制御モードに応じて、前記センサ検知情報を前記サーバ装置に通知するか否か判断し、サーバ装置へのセンサ検知情報の通知及び非通知を制御するセンサ通知制御手段とを有し、前記サーバ装置は、前記宅内装置から通知された前記センサ検知情報を前記端末装置に転送する転送手段と、前記複数のセンサの反応順序を示す設定パターンをユーザに入力させるための設定パターン入力手段と、前記宅内装置に、全てのセンサについて前記センサ検知情報の通知を実行させるセンサ通知実行モードと、全てのセンサについて前記センサ検知情報の通知を解除させるセンサ通知解除モードと、所定のセンサについて所定期間の間、前記センサ検知情報の通知を停止させるセンサ通知停止モードとを含む制御モードの中から、前記設定パターン入力手段により入力された設定パターンに対応する制御モードをユーザに入力させるための制御モード入力手段と、前記設定パターン入力手段により入力された設定パターン、及び前記制御モード入力手段により入力された制御モードを記憶する第１の設定パターン記憶手段と、前記第１の設定パターン記憶手段に記憶された前記設定パターン及び前記制御モードを前記宅内装置に送信する設定パターン送信手段とを有し、前記宅内装置は、前記設定パターン送信手段により送信された前記設定パターン及び前記制御モードを受信する設定パターン受信手段と、前記設定パターン受信手段により受信した前記設定パターン及び前記制御モードを記憶する第２の設定パターン記憶手段と、実際に反応があった前記複数のセンサの反応順序を示す検知パターンを記憶する検知パターン記憶手段とを更に有し、前記センサ通知制御手段は、前記第２の設定パターン記憶手段に記憶された設定パターンと前記検知パターン記憶手段に記憶された検知パターンが一致する場合に、この設定パターンに対応して設定された前記制御モードを実行することを特徴とする。
【０００９】
請求項２の発明は、宅内への侵入者を検知するための複数のセンサと、これらセンサに反応があった場合に、ユーザにより設定された制御モードに応じて、センサ検知情報を予め指定された装置に通知するか否か判断し、前記装置へのセンサ検知情報の通知及び非通知を制御するセンサ通知制御手段とを備えた宅内装置において、ユーザにより設定された前記複数のセンサの反応順序を示す設定パターンと、該設定パターンに対応して設定された前記制御モードを記憶する設定パターン記憶手段と、実際に反応があった前記複数のセンサの反応順序を示す検知パターンを記憶する検知パターン記憶手段とを有し、前記センサ通知制御手段は、前記設定パターン記憶手段に記憶された設定パターンと前記検知パターン記憶手段に記憶された検知パターンが一致する場合に、この設定パターンに対応して設定された前記制御モードを実行することを特徴とする。
【００１０】
請求項３の発明は、請求項２に記載の宅内装置において、前記制御モードが、全てのセンサについて、前記センサ検知情報の通知を実行させるセンサ通知実行モードと、全てのセンサについて、前記センサ検知情報の通知を解除させるセンサ通知解除モードと、所定のセンサについて、所定期間の間、前記センサ検知情報の通知を停止させるセンサ通知停止モードとを含むことを特徴とする。
【発明の効果】
【００１１】
本発明によれば、ユーザにより設定されたセンサの反応順序を示す設定パターンと実際に反応があったセンサの反応順序を示す検知パターンが一致する場合に、この設定パターンに対応して設定された制御モードを実行するので、ユーザは宅内装置やサーバ装置を操作することなく、所定行為をトリガーとして制御モードを変更することができる。このため、システムの操作性を向上して、システムの利用者の利便性を向上させることができる。また、在宅中、ユーザは設定パターンに則して行動する（センサを反応させる）ことにより、センサ通知実行モード時であっても不法侵入者として検知されないので、設定パターンに則して行動しない不法侵入者のみを検出して、システム（宅内装置）の不法侵入者の検知精度を向上させることができる。
【００１２】
また、ユーザは、センサ通知実行モードに対応する設定パターンに則して行動することにより、宅内装置やサーバ装置を操作することなく、また、センサ検知情報を受信することなく、制御モードをセンサ通知実行モードに変更することができる。また同様にして、ユーザは、センサ通知解除モードに対応する設定パターンに則して行動することにより、制御モードをセンサ通知解除モードに変更することができ、センサ通知停止モードに対応する設定パターンに則して行動することにより、制御モードをセンサ通知停止モードに変更することができる。
【発明を実施するための最良の形態】
【００１３】
以下、本発明の一実施形態による遠隔見守りシステムについて、図面を参照して説明する。図１は遠隔見守りシステムの全体構成を示す。この遠隔見守りシステム１は、宅内への不法侵入者がいた場合に、その情報をユーザが使用する端末装置（例えば、携帯電話）３に通知するシステムであり、センサ２２により宅内への侵入者を検知する宅内装置２と、センサ２２に反応があった場合に宅内装置２から通知されるセンサ検知情報をインターネット１０を介して受信すると共に、そのセンサ検知情報をインターネット１０を介して認証された端末装置３に転送するサーバ装置４とを備えている。
【００１４】
宅内装置２は、一般の家電製品と同様にユーザによって宅内の適宜の位置、例えば子供や老人、ペット等が居る部屋に設置され、ルータ、電話回線、及びＩＳＰ（Internet Service Provider）等を介してインターネット１０に接続される。また、宅内装置２は、センサ２２の反応時にセンサ検知情報をサーバ装置４を介してユーザに通知し、また端末装置３からの操作指示に応じてサーバ装置４経由で受信した遠隔操作命令を実行する。
【００１５】
図２に示されるように、宅内装置２は、所定エリアを撮影するカメラ２１と、複数のセンサ２２と、各種情報を記憶する記憶部２３と、サーバ装置との間で各種情報の送受信を行う通信部２４と、ユーザが宅内装置２を操作するための操作部２５と、宅内装置２全体を制御する制御部２６とを備えている。センサ２２は宅内装置２に内蔵されているセンサと、外付けのセンサにより構成され、カメラ２１は、宅内装置２に内蔵されているカメラと、外付けのカメラにより構成される。
【００１６】
センサ２２は、不法侵入者等を検出するためのものであり、このようなセンサ２２としては、例えば、人体から放射される赤外線を受光することにより所定エリア内の人体の有無を検出する人体センサ、窓の開閉を検知する窓開きセンサ、窓ガラスが割れたか否かを検知する窓割れセンサ、ドアの開閉を検知するドアセンサ等が挙げられる。これらのセンサ２２は宅内装置２に接続された状態で、例えば、図３に示されるように配置される。図３においては、２つの人体センサＳ１（宅内装置２に内蔵），Ｓ２と、２つのドアセンサＤ１，Ｄ２と、２つの窓開きセンサＷ１，Ｗ２と、１つの外付けカメラＣ１が宅内に配置された例を示している。また、図中、Ａ１及びＡ２は、人体センサＳ１及び人体センサＳ２の検知エリアを示している。なお、以下において、センサを総称していうときは、センサ２２といい、各センサを区別していうときは、人体センサＳ１，Ｓ２、ドアセンサＤ１，Ｄ２、及び窓開きセンサＷ１，Ｗ２という。
【００１７】
記憶部２３（第２の設定パターン記憶手段、検知パターン記憶手段）は、ユーザにより設定されたセンサ２２の反応順序を示す設定パターン、及び、この設定パターンに対応して設定された制御モードを記憶すると共に、実際に反応があったセンサ２２の反応順序を示す検知パターンを記憶する。その他、記憶部２３は、カメラ２１より撮影された画像を記憶する。通信部（設定パターン受信手段）２４は、サーバ装置４から送信された設定パターン及び制御モードを受信する。
【００１８】
操作部２５は、ユーザによって押下操作されることにより、センサ通知実行モードとセンサ通知解除モードとの間で制御モードを切り替え可能とするセンサＯＮ／ＯＦＦスイッチ（不図示）を備えている。制御部（センサ通知制御手段）２６は、センサ２２に反応があった場合に、ユーザにより設定された制御モードに応じてセンサ検知情報をサーバ装置４に通知するか否か判断し、サーバ装置４へのセンサ検知情報の通知及び非通知を制御する。
【００１９】
サーバ装置４は、本遠隔見守りシステム１を運営する装置であり、宅内装置管理サーバ４１、Ｗｅｂサーバ４２、メールサーバ４３、データベースサーバ４４、及びＦＴＰサーバ４５等の複数のサーバを有している（図２参照）。宅内装置管理サーバ（第１の設定パターン記憶手段、設定パターン送信手段）４１は、宅内装置２を管理するための情報（例えば、上記設定パターン及びこれに対応する制御モード）を記憶すると共に、宅内装置２を制御するための遠隔制御命令を宅内装置２に送信する。Ｗｅｂサーバ（設定パターン入力手段，制御モード入力手段）４２は、ＨＴＭＬファイルをＨＴＴＰプロトコルを使って端末装置３に配信し、ブラウザを介して端末装置３に各種情報（例えば、上記設定パターン及びこれに対応する制御モード）の入力画面を表示させる。メールサーバ（転送手段）４３は、宅内装置２から通知されたセンサ検知情報等を電子メールを利用して端末装置３に転送する。
【００２０】
端末装置３は、携帯電話回線及びインターネット１０を介してサーバ装置４に接続可能になっているブラウザ機能付きの端末である。このような端末装置３としては、携帯電話機やＰＤＡ（Personal Digital Assistant）等の携帯端末やパソコンがある。これら端末装置３は、宅内装置２及びサーバ装置４に、上記設定パターン及びこれに対応する制御モードを記憶させる際に操作される。
【００２１】
次に、遠隔見守りシステム１のセンサ通知実行モード時の動作について図４を参照して説明する。宅内装置２は、センサ２２により侵入者等の異常を検知すると（＃１）、反応のあったセンサ番号に関する情報を含むセンサ検知情報を通信部２４を介してサーバ装置４に送信すると共に、カメラ２１にて撮影した画像をサーバ装置４に送信する（＃２）。サーバ装置４は、宅内装置２から送られてきたセンサ検知情報及び画像を記憶し（＃３）、さらに、センサ検知情報を端末装置３に電子メールで通知する（＃４）。ユーザは、端末装置３に届いた電子メールにより異常が発生したことを知り、端末装置３を操作して、サーバ装置４にアクセスし、撮影された画像を要求する（＃５）。サーバ装置４は、ユーザからの要求に応じて、記憶している画像を端末装置３に送信し（＃６）、端末装置３は送られてきた画像を表示する（＃７）。ユーザは、その表示画像を見ることで、異常発生時に撮影された画像を確認することができる。
【００２２】
次に、ユーザが端末装置３を操作して、宅内装置２及びサーバ装置４に、設定パターン及びこれに対応する制御モードを記憶させる際の動作について図５を参照して説明する。
サーバ装置４は、端末装置３からユーザＩＤ及びパスワードなどの情報が入力され、所定の認証処理が終了すると、端末装置３からの要求に応じて入力画面のＨＴＭＬデータを端末装置３に送信する（＃２１）。端末装置３は、受信したＨＴＭＬデータに基づいて、入力画面を表示する（＃２２）。ユーザは端末装置３を操作して、設定パターン及び制御モードを入力し、端末装置３は入力された情報をサーバ装置４に送信する（＃２３）。サーバ装置４は、受信した設定パターン及び制御モードを記憶する（＃２４）と共に、これらの情報に基づいて宅内装置２に対して設定パターン登録命令を送信する（＃２５）。宅内装置２は、サーバ装置４から受け取った設定パターン登録命令を実行し、設定パターン及び制御モードを記憶部２３に記憶する（＃２６）。そして、設定パターン登録命令を実行した旨を通知する実行通知をサーバ装置４に送信する（＃２７）。サーバ装置４は受信した実行通知に基づいて、ユーザにより入力された設定パターン及び制御モードが、宅内装置２及びサーバ装置４に記憶されたことを通知する電子メールを、端末装置３に送信する（＃２８）。ユーザは、端末装置３に届いた電子メールにより、入力した設定パターン及び制御モードが、宅内装置２及びサーバ装置４に記憶されたことを確認することができる。
【００２３】
次に、図６、図７（ａ）（ｂ）、及び図８（ａ）（ｂ）を参照して、上記設定パターン及び制御モードがサーバ装置４に記憶される際に、サーバ装置４により行われる設定パターン登録処理を、より具体的に説明する。サーバ装置４は、まず、図７（ａ）に示されるような制御モード入力画面６１を端末装置３に送信して、端末装置３から制御モードの入力を受け付ける（＃４１）。ユーザは、端末装置３を操作して、センサ通知開始の項目（センサ通知実行モードを実行させる設定パターンを入力する際に選択する項目）６１ａ、センサ通知解除の項目（センサ通知解除モードを実行させる設定パターンを入力する際に選択する項目）６１ｂ、又はセンサ通知停止の項目（センサ通知停止モードを実行させる設定パターンを入力する際に選択する項目）６１ｃのいずれかを選択することにより、後に入力される設定パターンに対応する制御モードを入力する。
【００２４】
次に、サーバ装置４は、図７（ｂ）に示されるような設定パターン入力画面６２を端末装置３に送信して、端末装置３から設定パターンの入力を受け付ける（＃４２）。図７（ｂ）において、宅内装置２に接続されている各センサ２２に対応するセンサ番号（例えば、センサ０４はドアセンサＤ２、センサ０５は窓開きセンサＷ１、センサ０６は窓開きセンサＷ２にそれぞれ対応している）６２ａが表示されており、ユーザは、端末装置３を操作して、これらセンサ２２の反応順序を示す設定パターンを入力し、最後に”終わり”の項目６２ｂを選択して設定パターンの入力を終了する。
【００２５】
次に、サーバ装置４は、ステップ＃４１で入力された制御モードが、センサ通知停止モードか否か判断し（＃４３）、制御モードがセンサ通知停止モードであれば（＃４３でＹＥＳ）、図８（ａ）に示されるような通知停止期間入力画面６３を端末装置３に送信して、端末装置３から通知停止期間の入力を受け付ける（＃４４）。ユーザは、端末装置３を操作して、所望する通知停止期間を入力する。なお、図８（ａ）おいては、通知停止期間を時間で指定する場合について示したが、例えば、ドアセンサＤ２がオフ（ドアが閉められた状態）になるまで等のように、通知停止期間を指定するようにしてもよい。また、この際、センサ検知情報の通知を停止させるセンサ２２を、ユーザに選択させるようにしてもよい。
【００２６】
サーバ装置４は、制御モードがセンサ通知停止モードの場合に（＃４３でＹＥＳ）おいて通知停止期間が入力され、又は制御モードがセンサ通知停止モードでない場合（＃４３でＮＯ）において設定パターンが入力されると、図８（ｂ）に示されるような確認画面６４を表示して、上述のようにしてユーザが設定した設定内容を表示する（＃４５）。ユーザは、確認画面６４に表示された内容でよければ、ＯＫボタン６４ａを選択して設定パターン及び制御モードの入力を終了し、設定パターン及び制御モードを入力し直したい場合には、キャンセルボタン６４ｂを選択して、ステップ＃４１からの手順を繰り返す。サーバ装置４は、ユーザによりＯＫボタン６４ａが選択されると（＃４６でＹＥＳ）、設定パターンを及び制御モードを記憶する（＃４７）（この後、宅内装置２にこれらの情報が送信される）。
【００２７】
図９は、図３のように配置されたセンサ２２について、上記のようにしてサーバ装置４及び宅内装置２に記憶された設定パターン及び制御モードを示す図であり、センサ通知停止モードについて２つの設定例７１，７２と、センサ通知実行モードについて１つの設定例７３を示している。図９において、例えば、設定例７１は、人体センサＳ２を反応させ、その後にドアを開けてドアセンサＤ２をオンにする場合の設定パターンを示し、通知停止期間がドアセンサＤ２をオフ（ドアが閉められた状態）にするまでとした場合を示している。また、図９においては、センサ通知停止モードの対象となるセンサ２２を、ユーザにより指定させた場合について示している。なお、これらセンサ通知停止モードの対象となるセンサ２２として、全てのセンサ２２を指定させることも可能である。
【００２８】
次に、宅内装置２によるセンサ検知情報通知処理について図１０を参照して説明する。制御部２６は、センサ２２に反応があった場合に入力される検知信号を監視し、検知信号が入力されると（＃６１でＹＥＳ）、記憶部２３にセンサ番号を記憶して、検知パターンを記憶する（＃６２）。そして、設定パターンと検知パターンが一部一致するか否か判断し（＃６３）、設定パターンと検知パターンが一部一致しない場合には（＃６３でＮＯ）、そのときの制御モードがセンサ通知実行モードか否か判断し（＃６４）、センサ通知実行モードであれば、センサ検知情報をユーザに通知し（＃６５）、制御モードがセンサ通知実行モードでなければ、センサ検知情報を通知せず処理を終了する。
【００２９】
一方、設定パターンと検知パターンが一部一致する場合には（＃６３でＹＥＳ）、更に、設定パターンと検知パターンが全部一致するか否か判断する（＃６６）。そして、設定パターンと検知パターンが全部一致しない場合には（＃６６でＮＯ）、検知パターンが設定パターンと一部一致しなくなるまで（＃６３でＮＯ）、又は検知パターンが設定パターンと全部一致するまで（＃６６でＹＥＳ）、ステップ＃６１からステップ＃６６までの処理を繰り返し、検知パターンが設定パターンと全部一致した場合には（＃６６でＹＥＳ）、この設定パターンに対応して設定された制御モードを実行する（＃６７）。
【００３０】
次に、図３及び図９を参照して上記センサ検知情報通知処理を、より具体的に説明する。まず、設定例７１の場合について説明する。設定例７１は、システムの制御モードをセンサ通知実行モードにしてユーザが就寝するケースを想定している。この際、従来の遠隔見守りシステムにおいては、夜、トイレなどに行く場合には、制御モードをセンサ通知実行モードからセンサ通知解除モードに変更しなければ、ユーザにセンサ検知情報が通知されることになる。一方、本実施形態の設定例７１によれば、制御モードをセンサ通知解除モードに変更しなくても、人体センサＳ２の検知エリアＡ２を通って人体センサＳ２を反応させ、更にドアを開けてドアセンサＤ２をオンさせることにより、センサ通知実行モードからセンサ通知停止モードに移行する。そして、ユーザがトイレから帰ってドアセンサＤ２がオフにされると、センサ通知停止モードからセンサ通知実行モードに移行する。このため、ユーザはトイレに行くまでの行動により、不必要なセンサ検知情報を受信することがない。
【００３１】
設定例７２は、ユーザがシステム１の制御モードをセンサ通知実行モードにして外出し、帰宅した際に、宅内装置２のセンサＯＮ／ＯＦＦスイッチを直接操作して、制御モードをセンサ通知実行モードからセンサ通知解除モードに変更するケースを想定している。従来の遠隔見守りシステムによれば、ユーザがセンサＯＮ／ＯＦＦスイッチを操作する前に、例えば、ドアを開けてドアセンサＤ１をオンにすることにより、ユーザにセンサ検知情報が通知されることとなる。一方、設定例７２によれば、ユーザは帰宅後、窓を開けて窓開きセンサＷ１をオンにすることにより、センサ通知実行モードからセンサ通知停止モードに移行させることができる。そして、通知停止期間となる３０秒間は、人体センサＳ１、及びドアセンサＤ１に反応があった場合でも、ユーザにセンサ検知情報が通知されないので、ユーザは、センサ検知情報を受信することなく、３０秒の間にセンサＯＮ／ＯＦＦスイッチを操作して制御モードをセンサ通知解除モードに変更することができる。
【００３２】
設定例７３は、ユーザが外出等する際、宅内装置２のセンサＯＮ／ＯＦＦスイッチを直接操作せずに、制御モードをセンサ通知解除モードからセンサ通知実行モードに変更するケースを想定している。ユーザは、外出する際、ドアを２回開閉し、ドアセンサＤ１を、オン、オフ、オン、オフと変化させることにより、センサＯＮ／ＯＦＦスイッチを直接操作せずに、制御モードをセンサ通知解除モードからセンサ通知制御モードに変更させることができる。
【００３３】
本実施形態の遠隔見守りシステム１及び宅内装置２によれば、ユーザにより設定されたセンサ２２の反応順序を示す設定パターンと実際に反応があったセンサ２２の反応順序を示す検知パターンが一致する場合に、この設定パターンに対応して設定された制御モードを実行するので、ユーザは宅内装置２やサーバ装置４を操作することなく、所定行為をトリガーとして制御モードを変更することができる。このため、システム１の操作性を向上して、システム１の利用者の利便性を向上させることができる。また、在宅中、ユーザは設定パターンに則して行動する（センサを反応させる）ことによりセンサ通知実行モード時であっても不法侵入者として検知されないので、設定パターンに則して行動しない不法侵入者のみを検出して、システム１の不法侵入者の検知精度を向上させることができる。
【００３４】
また、ユーザは、センサ通知実行モードに対応する設定パターンに則して行動することにより、宅内装置２やサーバ装置４を操作することなく、また、センサ検知情報を受信することなく、制御モードをセンサ通知実行モードに変更することができる。また同様にして、ユーザは、センサ通知解除モードに対応する設定パターンに則して行動することにより、制御モードをセンサ通知解除モードに変更することができ、センサ通知停止モードに対応する設定パターンに則して行動することにより、制御モードをセンサ通知停止モードに変更することができる。
【００３５】
なお、本発明は、上記実施形態の構成に限られず、種々の変形が可能である。例えば、
制御モードは、設定パターンと検知パターンが一致する場合に、単にセンサ検知情報をユーザに通知しないような制御モードを含んでいてもよい。また、センサ２２の反応順序のみならず、センサの反応時間間隔を設定パターンとしてユーザが設定できるようにしてもよい。また、設定例も上記設定例７１〜７３に限られるものではない。
【図面の簡単な説明】
【００３６】
【図１】本発明の一実施形態に係る遠隔見守りシステムの全体構成図。
【図２】同遠隔見守りシステムの概略構成を示す電気的ブロック構成図。
【図３】同遠隔見守りシステムのセンサ配置例を示す図。
【図４】同遠隔見守りシステムのセンサ通知実行モード時の動作を示すタイムチャート。
【図５】同遠隔見守りシステムの設定パターン登録時の動作を示すタイムチャート。
【図６】同設定パターン登録時のサーバ装置による設定パターン登録処理を示すフローチャート。
【図７】（ａ）は同サーバ装置から端末装置に送信される制御モード入力画面を示す図であり、（ｂ）は設定パターン入力画面を示す図。
【図８】（ａ）は同サーバ装置から端末装置に送信される通知停止期間入力画面を示す図であり、（ｂ）は確認画面を示す図。
【図９】同設定パターン登録処理により登録された設定パターン及び制御モードを示す図。
【図１０】同遠隔見守りシステムの宅内装置によるセンサ検知情報通知処理を示すフローチャート。
【符号の説明】
【００３７】
１    遠隔見守りシステム
２    宅内装置
３    端末装置
４    サーバ装置
２１  カメラ
２２  センサ
２３  記憶部
２４  通信部
２５  操作部
２６  制御部
Ｓ１，Ｓ２  人体センサ
Ｄ１，Ｄ２  ドアセンサ
Ｗ１，Ｗ２  窓開きセンサ
【図１】
2006040112.tif 000003
【図２】
2006040112.tif 000004
【図３】
2006040112.tif 000005
【図４】
2006040112.tif 000006
【図５】
2006040112.tif 000007
【図６】
2006040112.tif 000008
【図７】
2006040112.tif 000009
【図８】
2006040112.tif 000010
【図９】
2006040112.tif 000011
【図１０】
2006040112.tif 000012